(57)【要約】【課題】皮膚の水分保持能力を正確に、且つ簡単に試験することができる皮膚水分保持機能試験シートを提供する。【解決手段】粘着剤２２により皮膚に貼付される透明フィルム１２と、透明フィルム１２の粘着剤２２側の面に設けられ塩化コバルトを吸着させた複数の塩化コバルト紙２４，２６を有する。透明フィルム１２には、塩化コバルトが吸湿により反応する発色の色見本２０が設けられ、複数の塩化コバルト紙２４，２６は、異なる湿度で塩化コバルトの反応が開始されるように調整されている。【選択図】        図１
2004236794.tif 000002
【特許請求の範囲】
【請求項１】
粘着剤により皮膚に貼付される粘着フィルムと、上記粘着フィルムの粘着剤側の面に設けられ塩化コバルトを吸着させた保持体を有し、上記粘着フィルムの上記保持体近傍には、上記塩化コバルトが吸湿により反応する発色の色見本が設けられ、上記保持体は疎水性の不織布で覆われ所定の湿度で塩化コバルトの反応が開始されるように調整されていることを特徴とする皮膚水分保持機能試験シート。
【請求項２】
粘着剤により皮膚に貼付される粘着フィルムと、上記粘着フィルムの粘着剤側の面に設けられ塩化コバルトを吸着させた複数の保持体を有し、上記粘着フィルムの上記保持体近傍には、上記塩化コバルトが吸湿により反応する発色の色見本が設けられ、上記複数の保持体は異なる湿度で塩化コバルトの反応が開始されるように調整されていることを特徴とする皮膚水分保持機能試験シート。
【請求項３】
上記保持体は、疎水性の不織布で覆われていることを特徴とする請求項１または２記載の皮膚水分保持機能試験シート。
【請求項４】
上記保持体は濾紙であることを特徴とする請求項１または２記載の皮膚水分保持機能試験シート。
【発明の詳細な説明】
【０００１】
【発明の属する技術分野】
この発明は、皮膚の保湿性を試験する皮膚水分保持機能試験シートに関する。
【０００２】
【従来の技術】
【特許文献１】実開昭６２−７０５０２号公報
通常、皮膚表面には適度な水分があり、水分が少ないと皮膚が乾燥して皮膚のトラブルの原因になる。そこで皮膚の保湿性を試験する方法として、実開昭６２−７０５０２号公報に開示されている生体表面水分蒸散速度測定器具があった。この測定器具は、周囲または全面に粘着剤を塗布した透明シートの中央部に塩化コバルト紙を貼付したもので、塩化コバルト紙には容易に剥離できる保護シートが取り付けられている。この生体表面水分蒸散速度測定器具の使用方法は、保護シートを外し、透明シートを皮膚に貼付して、塩化コバルト紙の色の変化を見るものである。塩化コバルト紙は、皮膚に当接させた状態で、皮膚表面から発散する水分により変色する。この色の変化は、塩化コバルト紙の吸湿度によって変わるので、皮膚に貼付した塩化コバルト紙の色を色見本と比較することにより、皮膚表面からの水分の発散度合い判定することができる。
【０００３】
【発明が解決しようとする課題】
上記従来の技術の場合、塩化コバルト紙の色の変化は、青と淡赤色とその中間の肌色の３段階しか見分けがつかず、皮膚表面からの水分の発散度合いの判定が大まかで、細かく測定することは難しかった。また、塩化コバルト紙を皮膚表面に直接貼り付けると、塩化コバルト紙が直接接触している部分の皮膚からの水分しか塩化コバルト紙が吸収できず、反応が遅いという問題点もあった。
【０００４】
この発明は上記従来の技術の問題点に鑑みてなされたものであり、皮膚の水分保持能力を正確に、且つ簡単に試験することができる皮膚水分保持機能試験シートを提供することを目的とする。
【０００５】
【課題を解決するための手段】
この発明の皮膚水分保持機能試験シートは、粘着剤により皮膚に貼付される粘着フィルムと、上記粘着フィルムの粘着剤側の面に設けられ塩化コバルトを吸着させた保持体を有し、上記粘着フィルムの上記保持体近傍には、上記塩化コバルトが吸湿により反応する発色の色見本が設けられたものである。そして、上記保持体は疎水性の不織布で覆われ所定の湿度で塩化コバルトの反応が開始されるように調整されている。
【０００６】
またこの発明は、粘着フィルムの粘着剤側の面に設けられ塩化コバルトを吸着させた複数の保持体を有し、上記粘着フィルムの上記保持体近傍には、上記塩化コバルトが吸湿により反応する発色の色見本が設けられ、上記複数の保持体は異なる湿度で塩化コバルトの反応が開始されるように調整されている皮膚水分保持機能試験シートである。
【０００７】
また、上記保持体は、疎水性の不織布で覆われ、上記保持体は、濾紙である。ここで、濾紙に塩化コバルトを吸着させたものを塩化コバルト紙とする。
【０００８】
この発明の皮膚水分保持機能試験シートは、被験者の皮膚に貼りつけ、皮膚の表面から蒸散する水分を塩化コバルト紙が吸湿して、その色が変化するものである。塩化コバルトは、無水塩では青色の三方晶系結晶であり、吸湿性を有し、水蒸気を吸収して淡赤色となる。この色の変化を、隣接した色見本と比較して皮膚の保湿性を測定する。塩化コバルト紙は、異なる湿度で反応が始まる複数の試験紙が設けられ、各塩化コバルト紙の色を色見本と比較することにより、正確に測定される。
【０００９】
【発明の実施の形態】
以下、この発明の実施形態について図面に基づいて説明する。図１〜図３は、この発明の一実施形態を示すものであり、この実施形態の皮膚水分保持機能試験シート１０には粘着フィルムとなる透明フィルム１２が設けられ、その素材は柔軟性を有し透明性に優れ、また強靭性にも優れた樹脂フィルムで作られている。例えば、ポリオレフィン、ポリプロピレン、ポリエステル、ポリ塩化ビニル、ポリ塩化ビニリデン、ポリエチレン、ナイロン、ウレタン等が使用される。厚さは、２０〜１００ミクロンであり、好ましくは５０〜７５ミクロンである。透明フィルム１２は、長丸に切断されている。
【００１０】
透明フィルム１２の表面１２ａには、所定の色の表シート１４が印刷または貼り付けにより設けられている。表シート１４には、中央付近に一対の矩形の透孔１６が形成され、透孔１６の内側は透明フィルム１２が露出し、後述する塩化コバルト紙の色を視認する第一表示部１８と第二表示部１９となる。第一表示部１８と第二表示部１９の間には、後述する塩化コバルト紙の色見本２０が印刷されている。色見本２０は、三色が一対の表示部１８，１９間に並んで設けられ、一方の端に位置する第一区分２０ａは塩化コバルトの無水塩に近い青色であり、中央に位置する第二区分２０ｂは薄い肌色であり、第一区部２０ａと反対側の第三区分２０ｃは塩化コバルトが完全に吸湿したときの淡赤色である。
【００１１】
透明フィルム１２の裏面１２ｂには、粘着フィルムとなるための粘着剤２２が設けられている。粘着剤２２の素材は、アクリル系粘着剤またはＳＩＳ等の合成ゴム粘着剤からなる。
【００１２】
そして、透明フィルム１２の裏面１２ｂの第一表示部１８部分には、塩化コバルト水溶液を濾紙に吸着させた第一の塩化コバルト紙２４が粘着剤２２に取り付けられている。ここで、塩化コバルトは、無水塩では青色であり吸湿すると淡赤色に変化するものであり、ＲＨ７０％のとき、１５〜３０分で変色する。また、透明フィルム１２の裏面１２ｂの第二表示部１９部分には、第一の塩化コバルト紙２４とは異なる濃度の塩化コバルト水溶液を吸着させた第二の塩化コバルト紙２６が取り付けられている。第二の塩化コバルト紙２６は、第一の塩化コバルト紙２４よりも反応が遅くなるように、塩化コバルトの吸着条件を設定している。第一の塩化コバルト紙２４と第二の塩化コバルト紙２６の外側には、疎水性の不織布２８が積層して取り付けられている。不織布２８は、例えばポリエステル製であり、目付は２０ｇ／ｍ２である。透明フィルム１２の裏面１２ｂには、粘着剤２２及び不織布２８を覆った剥離シート３０が貼り合わせられている。そして、皮膚水分保持機能試験シート１０は、樹脂フィルム等の袋に包装され、密封されている。
【００１３】
次に、この実施形態の皮膚水分保持機能試験シート１０の試験方法について説明する。まず、剥離シート３０を、皮膚水分保持機能試験シート１０の粘着面から剥がし、透明フィルム１２の裏面１２ｂの粘着剤２２を露出させる。そして、被験者の皮膚に皮膚水分保持機能試験シート１０を貼りつけ、その状態で所定時間放置する。このとき、第一表示部１８から第一の塩化コバルト紙２４の色の変化をみることができ、第二表示部１９からも第二の塩化コバルト紙２６の色の変化を見ることができる。
【００１４】
そして、第一表示部１８と第二表示部１９の色の組み合わせを、図３（Ａ）から図３（Ｅ）までのいずれの段階に相当するかを観察し、皮膚からの水分蒸発量を判定する。図３（Ａ）は、第一表示部１８、第二表示部１９とも、色見本２０の第一区分２０ａと同じ青色であり、剥離シート３０を剥がした直後は、このような状態であり、ＲＨ５０％以下で皮膚の水分蒸発量が小さい状態を示す。この後、吸湿すると、図３（Ｂ）のようにまず第一表示部１８の色が変化し第二区分２０ｂと同じ肌色となる。この状態は、ＲＨが５０から５５％までで、皮膚の水分蒸発量がやや小さい状態を示す。次に図３（Ｃ）のように、第一表示部１８が第三区分２０ｃと同じ淡赤色になると、ＲＨ６０％程度で皮膚の水分蒸発量が普通の状態を示す。次に、第二表示部１９の色の変化が開始され、図３（Ｄ）のように第二表示部１９が第二区分２０ｂと同じ肌色となると、ＲＨ６５％であり皮膚の水分蒸発量が高い状態を示す。次に図３（Ｅ）のように、第二表示部１９が第三区分２０ｃと同じ淡赤色になると、ＲＨ７０％以上の水分蒸発量がかなり多い状態を示す。これにより、貼付から所定時間後、例えば１５分後、２０分後等にどの段階の色に変化するかを、色見本２０と比較し皮膚の水分蒸発量を測定する。このように、第二の塩化コバルト紙２６の反応を、第一の塩化コバルト紙２４よりも遅くなるようにしているため、反応速度が異なる二種類の塩化コバルト紙の色変化を確認し、二種類の反応速度での違いにより正確に判定することができる。
【００１５】
この実施形態の皮膚水分保持機能試験シート１０によれば、第一表示部１８と第二表示部１９の２ヶ所から、塩化コバルトの色の変化を異なる湿度で反応を開始させて観察することができ、正確に皮膚の水分蒸発量を判定することができる。さらに、第一の塩化コバルト紙２４、第二の塩化コバルト紙２６は不織布２８で覆われ、皮膚に不織布２８が当接して発汗による水分を効率良く捕らえるため、正確に水分蒸発量を検知することができる。そして、皮膚からの水分蒸発量を知ることで、皮膚のトラブルを防ぐことに役立ち、また美容の面でも正確な肌の状態を知ることにより手入れ方法の判断に役立つ。
【００１６】
ここで、皮膚からの水分の蒸発量が多い場合は、皮膚水分量も多い肌であり、逆に蒸発量が少ない場合は、皮膚水分量が少ない肌である。水分量が多く保湿性の高い肌は滑らかで弾力があり、潤いのある肌の状態を保つことができる。そして、この皮膚水分保持機能試験シート１０を用いることにより、皮膚からの水分の蒸発量を半定量的に測定することができ、室温や湿度等の環境の影響を容易に測定することができる。
【００１７】
また、皮膚からの水分蒸発を抑えて保湿効果を期待する化粧品衣類等の商品の場合は、水分蒸発量が少なく表れる方が、保湿効果が高い商品と言えるので、この皮膚水分保持機能試験シート１０は、クリーム等の化粧品や衣類などの保湿性の測定にも利用することができる。
【００１８】
また、第一表示部１８と第二表示部１９は、色見本２０と隣接しているため、正確に色見本２０と比較することができる。そして、皮膚に皮膚水分保持機能試験シート１０を貼付して、第一表示部１８と第二表示部１９の色の変化を色見本２０と比較して観察するだけなので、操作が簡単で、再現性に優れており、コストも安価で経済的に優れた方法である。また、判定が容易であり、セルフメディケーションにより、手軽に測定を行うことができる。塩化コバルトは、皮膚に直接接することがないので安全である。
【００１９】
なお、この発明の皮膚水分保持機能試験シートは上記各実施形態の形態に限定されるものではなく、例えば、図４，図５に示すように一枚の塩化コバルト紙３２により、皮膚からの水分蒸発量を測定するものでも良い。この場合も、簡単に大まかな水分蒸発量を知ることができる。
【００２０】
さらに、表シートはなくても良く、透明フィルムに直接色見本が印刷されても良い。表示部は、２箇所以外、例えば３箇所以上設けられても良い。各部材の素材や形状は、自由に変更可能である。
【００２１】
【実施例】
以下に実施例を掲げて本発明を更に詳しく説明するが、本発明はこれら実施例のみに限定されるものではない。ここでは、塩化コバルトを濾紙に担持した場合を示す。まず、１０００ｍｌのビーカーに精製水４５０ｍｌを取り、これに塩化コバルト５０ｇを加えて溶解して第一の塩化コバルト紙２４の１０％水溶液を作る。次に、１００×２００ｍｍサイズの濾紙（東洋濾紙（株）製  Ｎｏ．５０）を前記水溶液に浸漬して水溶液を濾紙に十分含浸させて引き上げ、１００℃の熱風で濾紙が青色になるまで乾燥し、第一の塩化コバルト紙２４を作製した。第一の塩化コバルト紙２４と同様して、１０００ｍｌのビーカーに精製水４００ｍｌを取り、これに塩化コバルト１００ｇを加えて溶解して第二の塩化コバルト紙２６の２０％水溶液を作り、上記同様浸漬、乾燥し、第二の塩化コバルト紙２６を作製した。次に図２に示すように、表シート１４を設けた透明フィルム１２の裏面に粘着剤２２を設け、この粘着面に第一の塩化コバルト紙２４及び第二の塩化コバルト紙２６を貼り、さらに不織布２８及び剥離シート３０で覆い、皮膚水分保持機能試験シート１０とした。
【００２２】
以下に比較例を揚げて本発明を更に詳しく説明する。上記実施例の皮膚水分保持機能試験シート１０及び比較例として市販の肌水分測定器（積水化学工業（株）製，品名：ｓｉｔｔｏｒｉｓａｎ）を用いて、被験者４人の上腕内側の肌の水分蒸発状態の測定を行った。結果を下記の表１に示す。
【００２３】
この実施例の皮膚水分保持試験シート１０は、貼付経過時間による表示色の変化を観察した。また比較例の肌水分測定器は、皮膚水分の数値を測定し、水分評価判定表と照らし合わせた。なお表１の比較例におけるＡＶは皮膚水分平均値を、ＳＤは標準偏差を示す。
【００２４】
【表１】
2004236794.tif 000003
【発明の効果】
この発明の皮膚水分保持機能試験シートは、被験者の皮膚水分保持機能を簡単で正確に試験することができ、また室温や湿度等の環境の影響を容易に測定することができる。また、肌からの水分蒸発を防ぎ、保湿性の高い肌を維持することにより、滑らかで弾力のある美しい肌となり、化粧ののりがよい肌となる。このために皮膚からの水分蒸発量を半定量的に測定することにより、皮膚からの水分蒸発量が多い場合に起こる乾燥肌といった皮膚のトラブルを認識し、クリーム等の化粧品や衣類等の美容的な手入れの参考とすることができる。
【図面の簡単な説明】
【図１】この発明の一実施形態の皮膚水分保持機能試験シートの正面図である。
【図２】この実施形態の皮膚水分保持機能試験シートの横断面図である。
【図３】この実施形態の皮膚水分保持機能試験シートの色の変化を示す正面図である。
【図４】この発明の他の実施形態の皮膚水分保持機能試験シートの正面図である。
【図５】この発明の他の実施形態の皮膚水分保持機能試験シートの背面図である。
【符号の説明】
１０  皮膚水分保持機能試験シート
１２  透明フィルム
１４  表シート
１６  透孔
１８  第一表示部
１９  第二表示部
２０  色見本
２２  粘着剤
２４  第一の塩化コバルト紙
２６  第二の塩化コバルト紙
２８  不織布
３０  剥離シート
【図１】
2004236794.tif 000004
【図２】
2004236794.tif 000005
【図３】
2004236794.tif 000006
【図４】
2004236794.tif 000007
【図５】
2004236794.tif 000008